(57)【特許請求の範囲】
【請求項１】
機器を支える複数の支持脚を据え付け面に埋設されたアンカーボルトを介して固定する機器据付装置の支持脚底部と据え付け面の間に１枚または複数枚重ねて配置されるスペーサであって、該スペーサに、支持脚底部の幅方向の一方から切り欠いたアンカー用切り欠き部を設け、前記スペーサは、支持脚底部の幅よりも長い幅を有し、該スペーサの幅方向の前記支持脚底部よりも外側の両端に、前記アンカー用切り欠き部に直交する方向に上突状のビード部が設けられていることを特徴とする機器据付装置のスペーサ。
【請求項２】
前記スペーサのビード部は、ビード内寸半径がビード外寸半径よりも大きく形成されていることを特徴とする請求項１記載の機器据付装置のスペーサ。
【請求項３】
前記アンカー用切り欠き部は、スペーサの奥行き長さの中央に設けられていることを特徴とする請求項２記載の機器据付装置のスペーサ。
【発明の詳細な説明】
【技術分野】
【０００１】
本発明は、機器据付装置を水平状態に設置するために支持脚底部と据え付け面の間に１枚または複数枚重ねて配置されるスペーサに関するものである。
【背景技術】
【０００２】
従来より、この種の機器据付装置のスペーサにおいては、特許文献１に示すように、上面を開放した断面コ字状のスペーサガイドに前後スライド自在なスライドスペーサを予め組み付け、さらに、前端にＵ字切り欠きを有した高さ調節用スペーサを後方から支持脚底面とスライドスペーサ間に挿入可能にし、設置機器の据え付け面の排水のための勾配に対応して水平に設置可能にしたものがあった。
【先行技術文献】
【特許文献】
【０００３】
【特許文献１】特開２０１０−２６６０１９号公報
【発明の概要】
【発明が解決しようとする課題】
【０００４】
ところが、この従来のものは、スライドスペーサを有したスペーサガイドが構造が複雑で高価なものとなってしまうと共に、設置機器が前後に揺動すると高さ調節用スペーサが後方に抜け落ちてしまう可能性があった。
【課題を解決するための手段】
【０００５】
そこで、本発明は上記課題を解決するために、請求項１では、機器を支える複数の支持脚を据え付け面に埋設されたアンカーボルトを介して固定する機器据付装置の支持脚底部と据え付け面の間に１枚または複数枚重ねて配置されるスペーサであって、該スペーサに、支持脚底部の幅方向の一方から切り欠いたアンカー用切り欠き部を設け、前記スペーサは、支持脚底部の幅よりも長い幅を有し、該スペーサの幅方向の前記支持脚底部よりも外側の両端に、前記アンカー用切り欠き部に直交する方向に上突状のビード部が設けられているものとした。
【０００７】
また、請求項２では、前記スペーサのビード部は、ビード内寸半径がビード外寸半径よりも大きく形成されているものとした。
【０００８】
また、請求項３では、前記アンカー用切り欠き部は、スペーサの奥行き長さの中央に設けられているものとした。
【発明の効果】
【０００９】
本発明の請求項１によれば、これによって、前後方向にスペーサが抜け落ちることがなく、また、スペーサを複数枚重ねて配置する場合に、スペーサのアンカー用切り欠き部を幅方向に互い違いになるように重ねることで、幅方向への抜け落ちも規制することができ、単純な形状で安価に抜け難いスペーサを実現でき、さらに、スペーサのビード部によってスペーサが支持脚の左右方向への移動を規制することができると共に、スペーサを複数枚重ねて配置する場合に、スペーサ同士のビード部が重なりあって、スペーサ同士のズレも防止して、より抜け難いスペーサを実現できた。
【００１１】
また、請求項２によれば、これによって、スペーサを複数枚重ねてもスペーサ間に浮きを生じることがなく、スペーサ同士が密着して、より抜け難いスペーサを実現できた。
【００１２】
また、請求項３によれば、これによって、複数のスペーサを交互に重ねて配置する場合に、スペーサの全面が互いに密着するため、安定かつ見栄えのよい固定状態を実現できた。
【図面の簡単な説明】
【００１３】
【図１】機器据付装置の分解斜視図
【図２】機器据付装置の組み付け状態での斜視図
【図３】スペーサビード部の断面図
【図４】据付設置時のスペーサの使用形態を示す図
【発明を実施するための形態】
【００１４】
次に、本発明の一実施形態の機器据付装置のスペーサを図面に基づいて説明する。
図１は機器据付装置の分解斜視図、図２は機器据付装置の組み付け状態での斜視図であり、１は機器を支持固定する支持脚、２は支持脚１の高さ調整をするためのスペーサ、３は据え付け面に予め埋設されたアンカーボルト、４は支持脚１をアンカーボルト３を介して据え付け面に固定する締結具である。
【００１５】
支持脚１は、一側が開放された角柱状の角柱部１１と、角柱部１１の底部に溶接やカシメ等により一体的に設けられ長手方向を一側に延出した脚底板１２とで構成されている。
【００１６】
脚底板１２は、脚底板１２の幅方向の両端が折り返されて折り返し部１３を形成し、脚底板１２と角柱部１１との接続面となっていると共に、脚底板１２の曲げ剛性を高めており、また、脚底板１２にアンカーボルト３を挿通するアンカー孔１４が開口されている。
【００１７】
スペーサ２は、長手方向の中央に幅方向の一端から他端側の幅方向中央より奥側まで略Ｕ字状に切り欠かれたアンカー用切り欠き部２１が設けられ、このアンカー用切り欠き部２１によってアンカーボルト３を貫通して支持脚１の下方にスペーサ２を配置可能としており、アンカー用切り欠き部２１の開口端はアンカーボルト３に幅方向から差し入れ易くするための面取り部２２が設けられている。
【００１８】
また、スペーサ２の幅は脚底板１２の幅よりも長く形成され、脚底板１２から幅方向にはみ出た両端部分に長手方向に沿って上突状のビード部２３が形成されている。
【００１９】
ビード部２３は、図３に示すように、断面が半円形状をしており、また、ビード上面の凸部の大きさが、ビード下面の凹部の大きさと同じあるいは小さくなるように形成され、スペーサ２が複数枚重ねられたときにスペーサ２間に隙間が生じないようにしている。なお、ビード部２３の断面形状は半円に限定されるものではなく、例えば三角形状等でもよいものである。
【００２０】
締結具４は、角座金４１と、アンカーボルト３に締結されるナット４２とで構成され、支持脚１を据え付け面に予め埋設されたアンカーボルト３に強固に締結固定するものである。
【００２１】
図４は貯湯式温水器の据付設置時のスペーサの使用形態を示す図で、作業員は、貯湯式温水器が水平に近づくように水平器で測定しながら支持脚１の下方にスペーサ２を挿入する。
【００２２】
スペーサ２のアンカー用切り欠き部２１が幅方向に切り欠いてあるために、スペーサ２の前後方向のズレが規制されると共に、スペーサ２のビード部２３が支持脚１の脚底板１２の外側に突出しているため、スペーサ２が幅方向にズレることも規制され、前後左右のいずれの方向にもスペーサ２が抜け落ちることを防止できる。
【００２３】
また、スペーサ２を複数枚挿入する場合は、図１、図２に示すように、アンカー用切り欠き部２１の開口端が幅方向で互い違いに入れ替わるように重ねていくことで、スペーサ２が幅方向へのズレようとした場合に、アンカー用切り欠き部２１の終端がアンカーボルト３に当接すると共に、スペーサ２のビード部２３同士が嵌合しているため、スペーサ２のズレが規制される。
【００２４】
また、スペーサ２のビード部２３が支持脚１の脚底板１２の外側に突出しているため、スペーサ２を複数枚重ね合わせてスペーサ２同士が滑りやすい状態であっても、スペーサ２が幅方向にズレることも規制することができる。
【００２５】
本発明は上記の実施形態に限定されることなく、要旨を変更しない範囲で改変可能なものであり、機器として貯湯式給湯装置に限定されるものではない。
【符号の説明】
【００２６】
１  支持脚
２  スペーサ
２１  アンカー用切り欠き部
２３  ビード部
３  アンカーボルト
【図１】
0005827908.tif 000002
【図２】
0005827908.tif 000003
【図３】
0005827908.tif 000004
【図４】
0005827908.tif 000005